(57)【特許請求の範囲】
【請求項１】
基地局（２、７）から移動局に対して送信される所定の符号で拡散されたＷ−ＣＤＭＡ信号（１１）を受信してその受信信号レベルに基づいて前記基地局の電波サービスエリアを評価するための情報を提供する電波サービスエリア評価装置において、
前記基地局から送信され、互いに異なる経路を経由することにより異なるタイミングで受信した各Ｗ−ＣＤＭＡ信号に含まれる共通パイロットチャネル（１２）を前記拡散に用いた符号と一致する符号を用いてマッチドフィルタ（１７）で逆拡散して、各共通パイロットチャネルの受信タイミングを検出する受信タイミング検出手段（１７、２４）と、
前記検出された各受信タイミングを用いて、前記異なるタイミングで受信した各Ｗ−ＣＤＭＡ信号に含まれる共通パイロットチャネルを前記拡散に用いた符号と一致する符号を用いて逆拡散する複数の逆拡散部（２０）と、
この複数の逆拡散部で逆拡散された前記異なるタイミングで受信した各共通パイロットチャネルを一つの共通パイロットチャネルに信号合成するレイク合成部（２８）と、
このレイク合成部で信号合成された共通パイロットチャネルの信号レベルを算出するデータ処理部（３２）と、
前記異なる経路に対応する共通パイロットチャネルを逆拡散する少なくとも１つの逆拡散部を指定し、前記レイク合成部で信号合成する対象から除去する経路選択部（２９）と
を備えたことを特徴とする電波サービスエリア評価装置。
【請求項２】
前記経路選択部は、前記各逆拡散部と前記レイク合成部との間に介挿された複数のスイッチ（２７）のうち、指定された経路に対応するスイッチを開放することを特徴とする請求項１記載の電波サービスエリア評価装置。
【請求項３】
前記マッチドフィルタの各共通パイロットチャネルに対する逆拡散結果を遅延プロファイル（２２）として表示器に表示する遅延プロファイル作成表示手段（２５）を備えたことを特徴とする請求項１又は２記載の電波サービスエリア評価装置。
【請求項４】
前記表示器に表示された遅延プロファイル（２２）のなかの前記経路選択部で選択された経路に対応する共通パイロットチャネルの波形にマーク（２２ａ）を表示するマーク表示手段（３１）を備えたことを特徴とする請求項３記載の電波サービスエリア評価装置。
【発明の詳細な説明】
【０００１】
【発明の属する技術分野】
本発明は、Ｗ―ＣＤＭＡ（広帯域・符号分割多元接続：ｗｉｄｅｂａｎｄ−ｃｏｄｅ  ｄｉｖｉｓｉｏｎ  ｍｕｌｔｉｐｌｅ  ａｃｃｅｓｓ）方式を採用した携帯電話等の移動体通信網システムにおける基地局の電波サービスエリアを評価する電波サービスエリア評価装置に係わり、特に、基地局から放出された電波がビルや山等で反射することに起因して複数の経路を経由して携帯電話等の移動局に達する場合における電波サービスエリアの評価も実施できる電波サービスエリア評価装置に関する。
【０００２】
【従来の技術】
携帯電話等の移動体通信網システムにおいては、図１１に示すように、加入者が所持する携帯電話１は、自己（加入者）が位置するセルを管轄する基地局２から放出される電波を受信する。しかしながら、基地局２から放出されて携帯電話１に受信される電波の経路は、基地局２からの直接波の経路Ｐ１の他に、ビル４ａ、４ｂや山５で反射される複数の反射波の経路Ｐ２、Ｐ３、Ｐ４が存在する。
【０００３】
電波３ａ、３ｂ、３ｃ、３ｄの各経路Ｐ１、Ｐ２、Ｐ３、Ｐ４は、当然経路長が異なるので、各経路Ｐ１、Ｐ２、Ｐ３、Ｐ４を経由した各電波３ａ、３ｂ、３ｃ、３ｄの携帯電話１に対する到達時刻が異なる。したがって、携帯電話１においては、同一内容の各電波３ａ、３ｂ、３ｃ、３ｄが時間差を有して受信される。
【０００４】
図１２は、通信方式として、Ｗ―ＣＤＭＡ方式を採用した場合における、携帯電話１でＷ―ＣＤＭＡ信号を含む各電波３ａ、３ｂ、３ｃ、３ｄの受信タイミングを示す図である。具体的には、各電波３ａ、３ｂ、３ｃ、３ｄに含まれるＷ―ＣＤＭＡ信号６の受信時刻ｔ１、ｔ２、ｔ３、ｔ４が異なる。さらに、当然経路長が異なるので、各経路Ｐ１、Ｐ２、Ｐ３、Ｐ４を経由した各電波３ａ、３ｂ、３ｃ、３ｄのＷ―ＣＤＭＡ信号６の信号レベル（受信レベル）ｄ１、ｄ２、ｄ３、ｄ４も異なる。
【０００５】
Ｗ―ＣＤＭＡ方式を採用した携帯電話１においては、受信時刻ｔ１、ｔ２、ｔ３、ｔ４が異なる各電波３ａ、３ｂ、３ｃ、３ｄを受信して、この各電波３ａ、３ｂ、３ｃ、３ｄに含まれるＷ―ＣＤＭＡ信号６を自己に与えられた符号（例えばＧｏｌｇ符号）でスペクトラム逆拡散を実施して、自己宛の通信データのみを抽出する。
【０００６】
各受信時刻ｔ１、ｔ２、ｔ３、ｔ４における自己宛の各通信データが抽出されると、各通信データを同期を取って信号合成して一つの通信データとするレイク合成処理を実施する。したがって、このレイク合成処理された後の通信データは、各経路Ｐ１、Ｐ２、Ｐ３、Ｐ４におけるＷ―ＣＤＭＡ信号６の信号レベル（受信レベル）ｄ１、ｄ２、ｄ３、ｄ４を合成した信号レベルとなるので、携帯電話１における基地局２から放出される電波の受信感度を向上できる。
【０００７】
さらに、Ｗ―ＣＤＭＡ方式においては、基地局２から電波放出されるＷ―ＣＤＭＡ信号６における各移動局（携帯電話１）宛の通信データの信号レベル（出力レベル）は、移動局（携帯電話１）におけるレイク合成処理された後の通信データの信号レベル（受信レベル）が予め定められた一定値になるように制御される。
【０００８】
【発明が解決しようとする課題】
新規に基地局を設置したり、既に設置済みの基地局の維持管理を行う場合には、レイク合成機能を有した移動局（携帯電話）が使用される電話サービス地域内における各基地局の電波サービスエリアの各地点における電波状態を評価する必要がある。この場合、評価対象となる各地点における電波状態は、基地局から電波放出されで各経路Ｐ１、Ｐ２、Ｐ３、Ｐ４を経由した複数の電波３ａ、３ｂ、３ｃ、３ｄをレイク合成した電波の電波状態である必要がある。
【０００９】
前述したように、Ｗ―ＣＤＭＡ信号６内には、信号レベルが自動制御された複数の通信データが含まれるために、たとえ、このＷ―ＣＤＭＡ信号６全体の信号レベルを測定したとしても、この信号レベルは、通信相手の移動局（携帯電話１）の位置や状態に応じて変化するので、該当地点における電波状態を評価するのは困難である。
【００１０】
さらに、都市計画により近い将来にビル４ａ、４ｂの取り壊しや、宅地造成計画で山５が削られる場合等においては、現在時点において、各地点で得られたレイク合成後の電波の電波状態を評価したとしても、都市計画や宅地造成計画の実施後における各地点におけるレイク合成後の電波の正しい電波状態を把握することができなかった。
【００１１】
本発明はこのような事情に基づいてなされたものであり、Ｗ―ＣＤＭＡ信号に含まれる送信出力レベルが固定されている共通パイロットチャネルを拡散に用いた符号と一致する符号を用いてスペクトラム逆拡散して単独で抽出することにより、異なる経路で受信した各電波のＷ―ＣＤＭＡ信号の信号レベルを正しく検出してレイク合成でき、さらに、レイク合成結果から特定の経路を経由する電波の影響を除去でき、将来の都市計画や宅地造成計画の実施を見越した電波状態のシミュレーションを実施できる電波サービスエリア評価装置を提供することを目的とする。
【００１２】
【課題を解決するための手段】
本発明は、基地局から移動局に対して送信される所定の符号で拡散されたＷ−ＣＤＭＡ信号を受信してその受信信号レベルに基づいて基地局の電波サービスエリアを評価するための情報を提供する電波サービスエリア評価装置である。
【００１３】
さらに、本発明の電波サービスエリア評価装置においては、基地局から送信され、互いに異なる経路を経由することにより異なるタイミングで受信した各Ｗ−ＣＤＭＡ信号に含まれる共通パイロットチャネルを拡散に用いた符号と一致する符号を用いてマッチドフィルタで逆拡散して、各共通パイロットチャネルの受信タイミングを検出する受信タイミング検出手段と、検出された各受信タイミングを用いて、異なるタイミングで受信した各Ｗ−ＣＤＭＡ信号に含まれる共通パイロットチャネルを拡散に用いた符号と一致する符号を用いて逆拡散する複数の逆拡散部と、この複数の逆拡散部で逆拡散された異なるタイミングで受信した各共通パイロットチャネルを一つの共通パイロットチャネルに信号合成するレイク合成部と、このレイク合成部で信号合成された共通パイロットチャネルの信号レベルを算出するデータ処理部と、異なる経路に対応する共通パイロットチャネルを逆拡散する少なくとも１つの逆拡散部を指定し、レイク合成部で信号合成する対象から除去する経路選択部とを備えている。
【００１４】
また、別の発明においては、上記発明の電波サービスエリア評価装置における経路選択部は、各逆拡散部とレイク合成部との間に介挿された複数のスイッチのうち、指定された経路に対応するスイッチを開放するようにしている。
【００１５】
このように構成された電波サービスエリア評価装置においては、基地局から各経路を経由して受信された各Ｗ−ＣＤＭＡ信号に含まれる共通パイロットチャネルは、この共通パイロットチャネルをスペクトラム拡散した符号を用いてマッチドフィルタによりスペクトラム逆拡散される。マッチドフィルタは、結果的に共通パイロットチャネルと符号とが同期したタイミングも同時に検出するので、互いに異なるタイミングで受信した各共通パイロットチャネルの受信タイミングが検出される。
【００１６】
各逆拡散部は、異なるタイミングで受信した各Ｗ−ＣＤＭＡ信号に含まれる共通パイロットチャネルを抽出するので、レイク合成部で異なるタイミングで受信した各Ｗ−ＣＤＭＡ信号に含まれる共通パイロットチャネルを同期を取って信号合成できる。
【００１７】
基地局から受信したＷ―ＣＤＭＡ信号に含まれる共通パイロットチャネル（ＣＰＩＣＨ）は、共通パイロットチャネルに対して割付けられた符号でスペクトラム逆拡散されて抽出される。この基地局を特定する情報（グループコード６ｂｉｔ＋セルコード３ｂｉｔ）を基に生成される符号でスペクトラム拡散された共通パイロットチャネルの各基地局毎の出力レベルは固定であるので、経路が異なる複数のＷ―ＣＤＭＡ信号における各共通パイロットチャネルの信号レベルをレイク合成することによって、電話サービス地域内における各地点における基地局から放出される電波のレイク合成後の電波状態を正しく評価することが可能となる。
【００１８】
さらに、レイク合成される各共通パイロットチャネルのうち、指定された１つ又は複数の経路の電波の共通パイロットチャネルを除去できるので、将来の都市計画や宅地造成計画の実施を見越した電波状態のシミュレーションを実施できる。
【００１９】
また、別の発明は、上記発明の電波サービスエリア評価装置に対して、さらに、マッチドフィルタの各共通パイロットチャネルに対する逆拡散結果を遅延プロファイルとして表示器に表示する遅延プロファイル作成表示手段を付加している。
【００２０】
このように構成された電波サービスエリア評価装置においては、測定者は、表示器の表示画面上で、各経路を経由した電波（Ｗ−ＣＤＭＡ信号）の受信タイミングと概略の受信信号レベルとを一瞥して確認できる。
【００２１】
また、別の発明は、上記発明の電波サービスエリア評価装置に対して、さらに、表示器に表示された遅延プロファイルのなかの経路選択部で選択された経路に対応する共通パイロットチャネルの波形にマークを表示するマーク表示手段を付加している。
【００２２】
このように構成された電波サービスエリア評価装置においては、測定者は、自己が選択した経路に対応する共通パイロットチャネルを表示された遅延プロファイル上で確認することが可能である。
【００２３】
【発明の実施の形態】
以下、本発明の一実施形態を図面を用いて説明する。
図１は実施形態に係る電波サービスエリア評価装置を用いた電波状態の測定を示す模式図である。図１１と同一部分には同一符号を付して重複する部分の詳細説明を省略する。
【００２４】
この実施形態においては、図１１に示す基地局２の他に別の基地局７が配設されている。測定者は、測定車８に実施形態の電波サービスエリア評価装置９を搭載して、複数の基地局２、７が設置された電話サービス地域内を移動する。そして、移動しながら各地点で各基地局２、７からの電波を受信して、各電波の受信信号レベルを測定して、該当地点における各電波状態を評価する。
【００２５】
図１の状態においては、基地局２から各経路Ｐ１、Ｐ２、Ｐ３、Ｐ４を経由した各電波３ａ、３ｂ、３ｃ、３ｄが電波サービスエリア評価装置９で受信される。さらに、基地局７から各経路Ｑ１、Ｑ２、Ｑ３を経由した各電波１０ａ、１０ｂ、１０ｃが同じ電波サービスエリア評価装置９で受信される。
【００２６】
前述したように、各基地局２、７から図示しない携帯電話の各移動局へ送信される電波３ａ〜３ｄ、１０ａ〜１０ｃには、図２に示すＷ―ＣＤＭＡ信号１１が含まれる。このＷ―ＣＤＭＡ信号１１においては、１つの周波数帯域内に、それぞれ互いに異なる符号でスペクトラム拡散された共通パイロットチャネル（ＣＰＩＣＨ）１２、同期チャネル（ＳＣＨ）１３、複数のデータチャネル１４（ＣＨ１〜ＣＨＮ）、その他のチャネルが信号合成された状態で含まれる。
【００２７】
共通パイロットチャネル（ＣＰＩＣＨ）１２は、基地局２、７を特定する９ビットのプライマリコードと４ビットのセカンダリコードとにより生成された符号（例えばＧｏｌｄ符号）によりスペクトラム拡散されている。各基地局２、７は９ビットで特定されるので、２９＝５１２の符号のうちの１個のチャネル（ＣＨ）コードが各基地局２、７に割付られる。
【００２８】
共通パイロットチャネル１２は、この９ビットのプライマリコードにより生成される符号（例えばＧｏｌｄ符号）によりスペクトラム拡散された状態でＷ―ＣＤＭＡ信号１１に組込まれるので、測定車８に搭載された電波サービスエリア評価装置９は、予め５１２種類のＧｏｌｄ符号を準備して、受信した電波３ａ〜３ｄ、１０ａ〜１０ｃのＷ―ＣＤＭＡ信号１１をスペクトラム逆拡散して元の共通パイロットチャネル（ＣＰＩＣＨ）１２を抽出して該当電波３ａ〜３ｄ、１０ａ〜１０ｃの送信元の基地局２，７を特定する。
【００２９】
図３は電波サービスエリア評価装置９の概略構成を示すブロック図である。なお、説明を簡単にするために、基地局２からの各経路Ｐ１〜Ｐ４を経由した電波３ａ〜３ｄのみが入力した場合を例にして説明を行う。
【００３０】
基地局２から放出された各電波３ａ〜３ｄはアンテナ１５で受信されてＲＦ（高周波）処理部１６へ入力される。ＲＦ（高周波）処理部１６は、各電波３ａ〜３ｄに含まれる高周波のＷ―ＣＤＭＡ信号１１の周波数を中間周波数に周波数変換するとともに、直交復調して、ベースバンドのＷ―ＣＤＭＡ信号１１をマッチドフィルタ１７及びＮ台の各遅延回路１８へ送出する。
【００３１】
符号発生器１９は、受信した各電波３ａ〜３ｄのＷ―ＣＤＭＡ信号１１に含まれる共通パイロットチャネル（ＣＰＩＣＨ）１２をスペクトラム逆拡散するための符号を、制御部２１からの指示に基づいて電波３ａ〜３ｄの送信元の基地局２の各プライマリコードから生成し、マッチドフィルタ１７及びＮ台の逆拡散部としての各相関器２０へ送出する。
【００３２】
マッチドフィルタ１７は、入力されたＷ―ＣＤＭＡ信号１１に対して、符号発生器１９からの複数桁の符号を順次ずらせていって、両者の相関をとり、相関値を図４に示す遅延プロファイル信号２２として出力する。
【００３３】
図４に示すように、異なるタイミングで同一共通パイロットチャネル（ＣＰＩＣＨ）１２を含む複数のＷ―ＣＤＭＡ信号１１を受信した場合は、各電波３ａ〜３ｄの受信時刻ｔ１、ｔ２、ｔ３、ｔ４に鋭いピークが発生するので、各経路Ｐ１、Ｐ２、Ｐ３、Ｐ４を経由した各電波３ａ、３ｂ、３ｃ、３ｄの共通パイロットチャネル（ＣＰＩＣＨ）１２の受信時刻ｔ１、ｔ２、ｔ３、ｔ４が特定される。
【００３４】
マッチドフィルタ１７から出力された遅延プロファイル信号２２は、遅延プロファイルメモリ２３へ書込まれるとともに、遅延時間算出部２４へ入力される。
【００３５】
遅延時間算出部２４は、図４に示すように、遅延プロファイル信号２２における先頭の電波３ａ（経路Ｐ１）の共通パイロットチャネル（ＣＰＩＣＨ）１２の受信時刻ｔ１から所定期間ＴＳだけ経過した時刻ｔＳを設定して、各経路Ｐ１、Ｐ２、Ｐ３、Ｐ４の電波３ａ、３ｂ、３ｃ、３ｄの共通パイロットチャネル（ＣＰＩＣＨ）１２の受信時刻ｔ１、ｔ２、ｔ３、ｔ４からの各経過時間τ１、τ２、τ３、τ４を算出して、それぞれ遅延時間τ１、τ２、τ３、τ４として、各遅延回路１８へ設定する。
【００３６】
遅延プロファイルメモリ２３へ書込まれた遅延プロファイル信号２２の波形は、編集部２５で読出されて、この編集部２５で、図５に示すフォーマットに編集されて、表示器２６に表示出力される。
【００３７】
各遅延回路１８は、ＲＦ処理部１６から出力された電波３ａ〜３ｄの各Ｗ―ＣＤＭＡ信号１１を自己に指定された遅延時間τ１、τ２、τ３、τ４だけ遅延させて、逆拡散部としての各相関器２０へ送出する。各相関器２０には、符号発生器１９から例えば図４に示す時刻ｔＳの同一タイミングで、電波３ａ〜３ｄの共通パイロットチャネル（ＣＰＩＣＨ）１２に対応する符号が入力されている。したがって、各相関器２０は遅延された時刻位置に位置する電波３ａ、３ｂ、３ｃ、３ｄの共通パイロットチャネル（ＣＰＩＣＨ）のみを入力された符号でスペクトラム逆拡散して、スイッチ２７へ送出する。
【００３８】
例えば、遅延時間τ１が入力される１番目の遅延回路１８は、入力された電波３ａ〜３ｄの各Ｗ―ＣＤＭＡ信号１１を遅延時間τ１だけ遅延させるので、次段の相関器２０において、時刻ｔＳにおいて、先頭の経路Ｐ１を経由する電波３ａの共通パイロットチャネル（ＣＰＩＣＨ）１２のみを符号でスペクトラム逆拡散する。
【００３９】
同様に、遅延時間τ２が入力される２番目の遅延回路１８は、入力された電波３ａ〜３ｄの各Ｗ―ＣＤＭＡ信号１１を遅延時間τ２だけ遅延させるので、次段の相関器２０において、時刻ｔＳにおいて、２番目の経路Ｐ２を経由する電波３ｂの共通パイロットチャネル（ＣＰＩＣＨ）１２のみを符号でスペクトラム逆拡散する。
【００４０】
各相関器２０で、時刻ｔＳの同一タイミングで、かつ同一符号でスペクトラム逆拡散された各電波電波３ａ〜３ｄの共通パイロットチャネル（ＣＰＩＣＨ）１２は、それぞれ各スイッチ２７を介してレイク合成部２８へ入力される。各スイッチ２７のオン／オフ状態は制御部２１の指令に従って経路選択部２９にて制御される。
【００４１】
具体的に説明すると、図５に示すように、表示器２６に、遅延プロファイル信号２２が表示された状態において、測定者が、操作部３０を操作して、表示画面の選択キー３１で、遅延プロファイル信号２２の一つ又は複数の経路Ｐ１〜Ｐ４を選択すると、選択された経路Ｐ１〜Ｐ４にマーク２２ａが表示される。
【００４２】
そして、制御部２１は、選択された一つ又は複数の経路Ｐ１〜Ｐ４に対応する遅延時間τ１〜τ４の信号路のスイッチ２７を特定して、経路選択部２９を介して、対応するスイッチ２７をオフ状態に制御する。
【００４３】
したがって、測定者は、どの経路Ｐ１〜Ｐ４の共通パイロットチャネル（ＣＰＩＣＨ）１２のレイク合成部２８への入力を遮断したかを、表示器２６上に表示されたマーク２２ａで確認できる。
【００４４】
レイク合成部２８は、オン状態のスイッチ２９を介して入力された各経路Ｐ１〜Ｐ４の電波３ａ〜３ｄの各共通パイロットチャネル（ＣＰＩＣＨ）１２を信号合成して新たな一つの共通パイロットチャネル（ＣＰＩＣＨ）１２として次のデータ処理部３２へ送出する。
【００４５】
以上は、一方の基地局２からの各電波３ａ〜３ｄの各共通パイロットチャネル（ＣＰＩＣＨ）１２に対する処理動作の説明であるが、他方の基地局７からの各経路Ｑ１〜Ｑ３を経由した各電波１０ａ〜１０ｃの各共通パイロットチャネル（ＣＰＩＣＨ）１２に対する処理動作も、各電波３ａ〜３ｄの処理動作と同時に時分割で実施される。また、図１示す基地局２、７以外の基地局からの各電波も時分割されて、同様に処理される。したがって、データ処理部３２には、各基地局からの電波の共通パイロットチャネル（ＣＰＩＣＨ）１２が各基地局毎にレイク合成された状態で時分割されて入力される。
【００４６】
図６は、データ処理部３２の概略構成を示すブロック図だある。
信号選択部３３は、レイク合成部２８から出力された各基地局２．７、…の共通パイロットチャネル（ＣＰＩＣＨ）１２のうちの操作部３０で選択された例えば値の大きい３２個の共通パイロットチャネル（ＣＰＩＣＨ）１２を選択して、各信号レベルを検出して、１〜３２のチャネル番号を付して信号データメモリ３４へ送出する。
【００４７】
信号データメモリ３４内には、図７に示すように、１〜３２の各チャネル毎に、該当チャネルの基地局２、７、…を特定するチャネル（ＣＨ）コードや、例えば１秒等の単位データをＮ個分記憶する領域が形成されている。各単位データは、図示するように、信号レベルからなるデータと、このデータを採取した測定開始信号入力時刻からの経過時間（時刻）と、このデータを採取した測定車８の位置とで構成されている。
【００４８】
測定開始／終了制御部３５は、測定者による操作部３０の操作に基づいて、測定開始／終了信号を信号データメモリ３４へ印加する。
【００４９】
測定タイミング制御部３６は、操作部３０からの指示に基づいて、外部測定タイミング信号又は内部測定タイミング信号のいずれかの測定タイミング信号を選択して新たな測定タイミング信号３７として信号データメモリ３４へ印加する。
【００５０】
その結果、測定タイミング信号３７に同期して、その時点で信号選択部３３から出力されている１〜３２の各チャネルの信号レベルのデータを読取って、信号データメモリ３４の各チャネルの単位データに測定開始からの時間（経過時間）と共に書込む。
【００５１】
ＧＰＳ回路３７は、ＧＰＳ衛星３８からＧＰＳ信号を受信して、測定車８の現在位置を算出して位置書込部３９及び地図表示部４５へ送出する。位置書込部３９は、測定タイミング制御部３６からの測定タイミング信号３７に同期して、その時点におけるＧＰＳ回路３６からの測定車８の位置を信号データメモリ３４の各チャネルの単位データの領域に書込む。
【００５２】
したがって、測定開始信号が出力されてから測定終了信号が出力されるまでの測定期間内においては、測定タイミング信号３７が入力される毎に、信号データメモリ３４の各単位データ内にデータ、時間、位置が順次書込まれていく。
【００５３】
フォーマットメモリ４０内には、信号データメモリ３４内に記憶された各チャネルの信号レベルの表示器２６に対する図８に示す２種類の表示フォーマット（表示形式）が記憶されている。
【００５４】
図８（ａ）の「定位置測定」においては、測定車８を特定の地点に停止させて、該当地点における指定したチャネルの信号レベルの変化を、測定開始信号入力開始時刻からの経過時間ｔの関数として表示する。具体的には、信号データメモリ３４に記憶されている３２チャネルのうちの指定された１つ又は複数のチャネルの各時間におけるデータ（信号レベル）を抽出して表示する。
【００５５】
図８（ｂ）の「位置移動測定」においては、測定車８を移動しながら、指定したチャネルの信号レベルの変化を、ＧＰＳ信号から得られた位置の関数として表示する。具体的には、信号データメモリ３４に記憶されている３２チャネルのうちの指定された１つ又は複数のチャネルの各位置におけるデータ（信号レベル）を抽出して表示する。
【００５６】
なお、図８（ａ）、（ｂ）における符号「Ａ」、「Ｂ」は、各基地局を特定するチャネルを示し、Ａ基地局（チャネル）、Ｂ基地局（チャネル）の信号レベルの変化を示す。
【００５７】
表示形式指示部４１は、操作部３０から指示された上述した２種類の表示形式のうちの１つの表示形式をデータ抽出部４２、データ編集部４３及びフォーマットメモリ４０へ送出する。操作部３０で指定された表示すべきチャネルも同時にデータ抽出部４２へ送出する。
【００５８】
フォーマットメモリ４０は、表示形式指示部４１で指定された表示フォーマット（表示形式）情報をデータ編集部４８へ送出する。
データ抽出部４２は、信号データメモリ３４内に記憶された３２個のチャネルのうち表示形式指示部４１で指定されたチャネルのＮ個の単位データを抽出してデータ編集部４３へ送出する。
【００５９】
データ編集部４３は、データ抽出部４２から入力された各チャネルのＮ個の単位データの各データ（信号レベル）をフォーマットメモリ４０から入力された表示フォーマット（表示形式）に編集して、表示器２６の表示画面に表示出力する。
【００６０】
地図メモリ４４内には電話サービス地域全体の地図が記憶されている。地図表示部４５は、操作部３０から入力された測定者の地図表示指示に基づいて、図９に示すように、表示器２６に地図４６として表示出力するとともに、ＧＰＳ回路３７から測定車８の現在位置を読取って、地図４６上に重ね表示する。
【００６１】
表示器２６に表示された地図４６には、各基地局２、７の各位置、各基地局２、７からの電波を反射して、複数の経路Ｐ１〜Ｐ４、Ｑ１〜Ｑ３を形成するビル４ａ、４ｂ、山５の各位置、測定車８の位置が表示される。したがって、測定者は、この地図４６を見ることによって、各基地局、電波の反射物、測定車の相対位置関係を一瞥して把握できるので、図５に示した遅延プロファイル２２の各ピークの経路が、どのビル４ａ、４ｂ、山５で反射した経路の電波に起因するものであるのかを簡単に類推できる。
【００６２】
また、図３において、編集部２５は、操作部３０の指示に基づいて、図１０に示すように、複数の基地局２、７からの電波３ａ〜３ｄ、１０ａ〜１０ｃの各遅延プロファイル２２を表示器２６の同一画面に表示させることが可能である。この場合、測定者は、各遅延プロファイル信号２２に対して、レイク合成を実施しない電波の経路Ｐ１〜Ｐ４、Ｑ１〜Ｑ３を個別に指定できる。図１０においては、一方のビル４ｂが都市計画で取壊されると判断して、このビル４ｂで反射される二つの経路Ｐ３、Ｑ２を除去対象としている。
【００６３】
このように構成された電波サービスエリア評価装置においては、各基地局２、７からそれぞれ複数の経路Ｐ１〜Ｐ４、Ｑ１〜Ｑ３を経て受信した各電波３ａ〜３ｄ、１０ａ〜１０ｃの各Ｗ―ＣＤＭＡ信号１１に含まれる共通パイロットチャネル１２は、各遅延回路１８で受信時刻に対応して算出された遅延時間τ１、τ２、τ３、…だけ遅延されたのち、各相関器２０で各共通パイロットチャネル１２に対して割付けられた符号でスペクトラム逆拡散される。
【００６４】
前述したように、共通パイロットチャネル１２の基地局２、７における出力信号レベルは固定であるので、この共通パイロットチャネル１２のみを抽出して求められた該当測定地点における各電波３ａ〜３ｄ、１０ａ〜１０ｃの信号レベルを正確に把握できる。
【００６５】
したがって、各経路Ｐ１〜Ｐ４（Ｑ１〜Ｑ３）を経由した各電波３ａ〜３ｄ（１０ａ〜１０ｃ）の各共通パイロットチャネル１２をレイク合成して得られた、新たな一つの共通パイロットチャネル１２の信号レベルにより、該当測定地点における基地局２（７）から出力された電波のレイク合成後の電波状態を正しく評価することが可能となる。
【００６６】
さらに、図１０に示すように、レイク合成部２８でレイク合成される各共通パイロットチャネル１２のうち、操作部３０で指定された１つ又は複数の経路Ｐ１〜Ｐ４（Ｑ１〜Ｑ３）を経由した電波３ａ〜３ｄ（１０ａ〜１０ｃ）の共通パイロットチャネル１２を除去できる。したがって、将来の都市計画や宅地造成計画において、既存のビル４ａ、４ｂを取壊す場合や、山５を削る場合を想定して、該当ビル４ａ、４ｂや山５で反射される経路Ｐ１〜Ｐ４（Ｑ１〜Ｑ３）の電波３ａ〜３ｄ（１０ａ〜１０ｃ）をレイク合成対象から除去することができる。すなわち、近い将来実施される予定の都市計画や宅地造成計画の実施を見越した各測定地点における電波状態のシミュレーションを実施できる。
【００６７】
また、測定者は、表示器２６に表示された図５や図１０に示す遅延プロファイル信号２２、図９に示す地図４６を参照しながら、レイク合成対象から除去する電波の経路を指定できるので、装置全体の操作性を大幅に向上できる。
【００６８】
さらに、地図４６上のビル４ｂをカーソル等で指定することにより、図１０のビル４ｂの経路であるＰ３（Ｑ２）を指定することができる。
【００６９】
【発明の効果】
以上説明したように、本発明の電波サービスエリア評価装置においては、Ｗ―ＣＤＭＡ信号に含まれる共通パイロットチャネルをスペクトラム拡散に用いた符号を用いてスペクトラム逆拡散して単独で抽出している。したがって、異なる経路で受信した各電波のＷ―ＣＤＭＡ信号の信号レベルを正しく検出してレイク合成でき、測定地点における基地局から出力された電波のレイク合成後の電波状態を正しく評価することが可能となる。
【００７０】
さらに、レイク合成結果から、ビルや山の反射に起因する特定の経路を経由すする電波の影響を除去できる。したがって、将来の都市計画や宅地造成計画の実施を見越した電波状態のシミュレーションを実施できる。
【図面の簡単な説明】
【図１】本発明の一実施形態の電波サービスエリア評価装置を用いた電波状態の測定を示す模式図
【図２】電波に組込まれたＷ―ＣＤＭＡ信号のフォーマット図
【図３】同実施形態の電波サービスエリア評価装置の概略構成を示すブロック図
【図４】同実施形態の電波サービスエリア評価装置で検出される遅延プロファイル信号を示す図
【図５】同実施形態の電波サービスエリア評価装置の表示器に表示された遅延プロファイル信号を示す図
【図６】同実施形態の電波サービスエリア評価装置におけるデータ処理部の概略構成を示すブロック図
【図７】同データ処理部内に形成された信号データメモリの記憶内容を示す図
【図８】同実施形態の電波サービスエリア評価装置における測定された各信号レベルの各表示方式を示す図
【図９】同実施形態の電波サービスエリア評価装置の表示器に表示された地図を示す図
【図１０】同実施形態の電波サービスエリア評価装置の表示器に表示された二つの遅延プロファイル信号を示す図
【図１１】基地局から移動局までの各電波の経路を示す図
【図１２】移動局における各Ｗ−ＣＤＭＡ信号の受信タイミングを示す図
【符号の説明】
２、７…基地局
３ａ〜３ｄ、１０ａ〜１０ｃ…電波
４ａ、４ｂ…ビル
５…山
８…測定車
９…電波サービスエリア評価装置
１１…Ｗ−ＣＤＭＡ信号
１２…共通パイロットチャネル（ＣＰＩＣＨ）
１６…ＲＦ処理部
１７…マッチドフィルタ
１８…遅延回路
１９…符号発生部
２０…相関器
２２…遅延プロファイル信号
２２ａ…マーク
２４…遅延時間算出部
２６…表示器
２７…スイッチ
２９…経路選択部
３０…操作部
３２…データ処理部
３３…信号選択部
３４…信号データメモリ
３７…ＧＰＳ回路
４０…フォーマットメモリ
４２…データ抽出部
４４…地図メモリ
４６…地図
【図１】
0003616340.tif 000002
【図２】
0003616340.tif 000003
【図３】
0003616340.tif 000004
【図４】
0003616340.tif 000005
【図５】
0003616340.tif 000006
【図６】
0003616340.tif 000007
【図７】
0003616340.tif 000008
【図８】
0003616340.tif 000009
【図９】
0003616340.tif 000010
【図１０】
0003616340.tif 000011
【図１１】
0003616340.tif 000012
【図１２】
0003616340.tif 000013